(57)【要約】【課題】電源の電力供給能力に応じて電力の供給元の電源を選択する電子機器において、ユーザが電子機器の電源状況をより正確に把握することができる電子機器を提供する。【解決手段】本発明の電子機器は、第１の電源入力手段と、第１の電源入力手段の電力供給能力を判別する第１の判別手段と、第２の電源入力手段と、第２の電源入力手段の電力供給能力を判別する第２の判別手段と、双方の電源入力手段に電源が接続されており第１の電源入力手段からの電力供給能力が所定の基準を満たさない第１の場合に、電力供給能力の高い方から電力の供給を受けるように制御する制御手段と、第２の電源入力手段の電力供給の残能力を、第１の場合に残時間とは異なるまたは残時間超を示す表示形態で表示し、第２の電源入力手段のみに電源が接続される場合に、残時間を示す表示形態で表示するように制御する表示制御手段を有する。【選択図】図４
2019170074.tif 000002
【特許請求の範囲】
【請求項１】
第１の電源入力手段と、
前記第１の電源入力手段からの電力供給能力を判別する第１の判別手段と、
第２の電源入力手段と、
前記第２の電源入力手段からの電力供給能力を判別する第２の判別手段と、
前記第１の電源入力手段と前記第２の電源入力手段の双方に電源が接続されており、前記第１の電源入力手段からの電力供給能力が所定の基準を満たさない第１の場合に、前記第１の電源入力手段と前記第２の電源入力手段とのうち、電力供給能力の高い方から電力の供給を受けるように制御する制御手段と、
前記第１の場合には前記第２の電源入力手段からの電力供給の残能力を、残時間とは異なる表示形態または残時間超を示す表示形態である、第１の表示形態で表示し、
前記第１の電源入力手段に電源が接続されておらず、前記第２の電源入力手段に電源が接続されている第２の場合には、前記第２の電源入力手段からの電力供給の残能力を、残時間を示す第２の表示形態で表示するように制御する表示制御手段と、
を有することを特徴とする電子機器。
【請求項２】
前記表示制御手段は、
前記第１の場合には、前記第２の表示形態での表示はしないように制御し、
前記第２の場合には、前記第１の表示形態での表示はしないように制御する、
ことを特徴とする請求項１に記載の電子機器。
【請求項３】
第１の電源入力手段と、
前記第１の電源入力手段からの電力供給能力を判別する第１の判別手段と、
第２の電源入力手段と、
前記第２の電源入力手段からの電力供給能力を判別する第２の判別手段と、
前記第１の電源入力手段と前記第２の電源入力手段の双方に電源が接続されており、前記第１の電源入力手段からの電力供給能力が所定の基準を満たさない第１の場合に、前記第１の電源入力手段と前記第２の電源入力手段とのうち、電力供給能力の高い方から電力の供給を受けるように制御する制御手段と、
前記第１の場合には前記第２の電源入力手段からの電力供給の残能力を第１の表示形態で表示し、
前記第１の電源入力手段と前記第２の電源入力手段の双方に電源が接続されており、前記第１の電源入力手段からの電力供給能力が前記所定の基準を満たす第３の場合に、前記第２の電源入力手段からの電力供給の残能力を示す表示をしないように制御する表示制御手段と、
を有することを特徴とする電子機器。
【請求項４】
前記表示制御手段は、
前記第１の場合には、前記第２の電源入力手段からの電力供給の残能力を、残時間とは異なる表示形態または残時間超を示す表示形態で、表示をするように制御する、
ことを特徴とする請求項３に記載の電子機器。
【請求項５】
前記表示制御手段は、
前記第１の電源入力手段に電源が接続されておらず、前記第２の電源入力手段に電源が接続されている第２の場合には、前記第２の電源入力手段からの電力供給の残能力を、前記残時間を示す第２の表示形態で表示をするように制御する、
ことを特徴とする請求項４に記載の電子機器。
【請求項６】
前記第１の電源入力手段に接続される電源は外部電源であり、
前記第２の電源入力手段に接続される電源はバッテリ電源である、
ことを特徴とする請求項１乃至５のいずれか１項に記載の電子機器。
【請求項７】
前記第１の表示形態は、前記第２の電源入力手段に接続されている電源の残容量を、時間ではなく割合で示した表示形態であることを特徴とする請求項１乃至６のいずれか１項に記載の電子機器。
【請求項８】
前記第１の表示形態は、
前記第２の電源入力手段からの電力供給の残能力で前記電子機器が駆動可能な時間である残時間と、前記残時間を超えて前記電子機器が駆動することと、を示す表示形態である、
ことを特徴とする請求項１乃至６のいずれか１項に記載の電子機器。
【請求項９】
前記第２の電源入力手段に接続されている電源から、残容量の情報を取得する取得手段をさらに有し、
前記第１の表示形態は、前記取得手段で取得した前記残容量に基づいて表示される表示形態である、
ことを特徴とする請求項１乃至６のいずれか１項に記載の電子機器。
【請求項１０】
前記取得手段は、前記第２の電源入力手段に接続されている電源から、さらに当該電源の消費電流の情報と当該電源が供給する電力の総量である放電残量の情報とを取得する、
ことを特徴とする請求項９に記載の電子機器。
【請求項１１】
前記表示制御手段は、前記第１の電源入力手段に電源が接続されておらず、前記第２の電源入力手段に電源が接続されている第２の場合には、前記第２の電源入力手段からの電力供給の残能力を、前記消費電流の情報と前記放電残量の情報とに基づく残時間を示す第２の表示形態で表示するように制御する、
ことを特徴とする請求項１０に記載の電子機器。
【請求項１２】
前記第１の表示形態は、前記消費電流の情報に基づかずに表示可能な表示形態であることを特徴とする請求項１０または１１に記載の電子機器。
【請求項１３】
前記残能力の表示は、前記残容量の大きさに応じて模様が異なるアイコンを含む表示である、
ことを特徴とする請求項９乃至１２のいずれか１項に記載の電子機器。
【請求項１４】
前記表示制御手段は、前記第２の電源入力手段からの電力供給の残能力に応じて前記第１の表示形態と他の表示形態とを切り替えることはしない、
ことを特徴とする請求項１乃至１３のいずれか１項に記載の電子機器。
【請求項１５】
前記所定の基準を満たすとは、前記電力供給能力が基準値以上である、
ことを特徴とする請求項１乃至１４のいずれか１項に記載の電子機器。
【請求項１６】
前記電力供給能力は、電圧の大きさである、
ことを特徴とする請求項１５に記載の電子機器。
【請求項１７】
前記表示制御手段は、
前記第２の電源入力手段に接続された電源を認証し、
前記第２の電源入力手段に認証されていない電源が接続されている場合には、前記残能力の表示をしないようにし、不明な電源であることを示す表示をするように制御する、
ことを特徴とする請求項１乃至１６のいずれか１項に記載の電子機器。
【請求項１８】
第１の電源入力手段と、第２の電源入力手段とを有する電子機器の制御方法であって、
前記第１の電源入力手段からの電力供給能力を判別する第１の判別工程と、
前記第２の電源入力手段からの電力供給能力を判別する第２の判別工程と、
前記第１の電源入力手段と前記第２の電源入力手段の双方に電源が接続されており、前記第１の電源入力手段からの電力供給能力が所定の基準を満たさない第１の場合に、前記第１の電源入力手段と前記第２の電源入力手段とのうち、電力供給能力の高い方から電力の供給を受けるように制御する制御工程と、
前記第１の場合には前記第２の電源入力手段からの電力供給の残能力を、残時間とは異なる表示形態または残時間超を示す表示形態である、第１の表示形態で表示し、
前記第１の電源入力手段に電源が接続されておらず、前記第２の電源入力手段に電源が接続されている第２の場合には、前記第２の電源入力手段からの電力供給の残能力を、残時間を示す第２の表示形態で表示するように制御する表示制御工程と、
を有することを特徴とする電子機器の制御方法。
【請求項１９】
第１の電源入力手段と、第２の電源入力手段とを有する電子機器の制御方法であって、
前記第１の電源入力手段からの電力供給能力を判別する第１の判別工程と、
前記第２の電源入力手段からの電力供給能力を判別する第２の判別工程と、
前記第１の電源入力手段と前記第２の電源入力手段の双方に電源が接続されており、前記第１の電源入力手段からの電力供給能力が所定の基準を満たさない第１の場合に、前記第１の電源入力手段と前記第２の電源入力手段とのうち、電力供給能力の高い方から電力の供給を受けるように制御する制御工程と、
前記第１の場合には前記第２の電源入力手段からの電力供給の残能力を第１の表示形態で表示し、
前記第１の電源入力手段と前記第２の電源入力手段の双方に電源が接続されており、前記第１の電源入力手段からの電力供給能力が前記所定の基準を満たす第３の場合に、前記第２の電源入力手段からの電力供給の残能力を示す表示をしないように制御する表示制御工程と、
を有することを特徴とする電子機器の制御方法。
【請求項２０】
コンピュータを、請求項１乃至１７のいずれか１項に記載された電子機器の各手段として機能させるためのプログラム。
【請求項２１】
コンピュータを、請求項１乃至１７のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、電子機器の制御方法、プログラム、および記憶媒体に関する。
【背景技術】
【０００２】
従来の電子機器（電子装置）はリチウムイオンバッテリ（以下、バッテリ）で知られる充放電可能なバッテリまたは、ＤＣ電圧を印加するアダプタ（以下、電源アダプタ）を電力源として用いるものが多い。また、電子機器へ電力を入力する端子も複数ある電子機器も多い。バッテリから電力を入力する端子は専用形状の端子であるが、電源アダプタから電力を入力する端子は丸ピン等の汎用端子であることも多い。
【０００３】
このような電子機器にバッテリ、電源アダプタの両方の端子から同時に電力を供給されている場合、より安定して電力を供給させるために、電子機器は電圧（電源供給能力、電力供給能力）が高い電源を優先的に使用する方法が知られている（特許文献１）。この場合、電源アダプタからの供給を優先させるには、電源アダプタの出力電圧をバッテリの出力電圧より高い電圧に設定する。また、バッテリ内部にＣＰＵが内蔵されている場合、電子機器はバッテリ内部のＣＰＵとの通信によりバッテリの放電可能残量と負荷電流（消費電流）を取得することができる電子機器もある。このような機器では、電子機器が放電可能残量と負荷電流から電子機器の駆動可能時間を算出して、画面などに当該駆動可能時間を表示することで、電子機器の電源状況をユーザに把握させることができる。ここで放電可能残量とは、バッテリが供給することができる電力の総量である。
【先行技術文献】
【特許文献】
【０００４】
【特許文献１】特開２００５−２５３１４７号公報
【発明の概要】
【発明が解決しようとする課題】
【０００５】
しかしながら、特許文献１が開示する技術を用いると、バッテリの電圧と電源アダプタの電圧とがほぼ同電位であった場合、電子機器は供給元の電源を断続的にバッテリと電源アダプタとで切り替える。このような場合、ユーザに電子機器の電源状況を把握させるために電子機器の駆動可能時間を表示しても、バッテリの負荷電流が安定しないため、バッテリの放電可能残量と負荷電流から算出された駆動可能時間は正確ではない。そのため、ユーザが電子機器の電源状況を正確に把握できないという課題があった。
【０００６】
そこで、本発明は、電源の電力供給能力に応じて電力の供給元の電源を選択する電子機器において、ユーザが電子機器の電源状況をより正確に把握することのできる電子機器の提供を目的とする。
【課題を解決するための手段】
【０００７】
本発明の第１の態様は、
第１の電源入力手段と、
前記第１の電源入力手段からの電力供給能力を判別する第１の判別手段と、
第２の電源入力手段と、
前記第２の電源入力手段からの電力供給能力を判別する第２の判別手段と、
前記第１の電源入力手段と前記第２の電源入力手段の双方に電源が接続されており、前記第１の電源入力手段からの電力供給能力が所定の基準を満たさない第１の場合に、前記第１の電源入力手段と前記第２の電源入力手段とのうち、電力供給能力の高い方から電力
の供給を受けるように制御する制御手段と、
前記第１の場合には前記第２の電源入力手段からの電力供給の残能力を、残時間とは異なる表示形態または残時間超を示す表示形態である、第１の表示形態で表示し、
前記第１の電源入力手段に電源が接続されておらず、前記第２の電源入力手段に電源が接続されている第２の場合には、前記第２の電源入力手段からの電力供給の残能力を、残時間を示す第２の表示形態で表示するように制御する表示制御手段と
を有することを特徴とする電子機器である。
【発明の効果】
【０００８】
本発明によれば、電源の電力供給能力に応じて電力の供給元の電源を選択する電子機器において、ユーザが電子機器の電源状況をより正確に把握することができる。
【図面の簡単な説明】
【０００９】
【図１】実施形態１に係る電子機器システムの構成を示す図である。
【図２】実施形態１に係る電源選択部の構成を示す図である。
【図３】実施形態１に係るバッテリ残能力を表示する処理を説明する図である。
【図４】実施形態１に係るバッテリ残能力表示の処理フローチャートである。
【図５】実施形態１に係るバッテリ残能力表示の例を示す図である。
【図６】変形例１に係るバッテリ残能力表示の例を示す図である。
【図７】変形例２に係るバッテリ残能力表示の処理フローチャートである。
【発明を実施するための形態】
【００１０】
以下に、本発明の好ましい実施の形態を、添付の図面に基づいて詳細に説明する。なお、本発明の技術的範囲は特許請求の範囲によって確定されるものであって、以下の個別の実施形態によって限定されるわけではない。また、実施形態の中で説明されている特徴の組み合わせ全てが、本発明に必須とは限らない。
【００１１】
＜実施形態１＞
本実施形態では、バッテリ（内部電源）と電源アダプタ（外部電源）とを接続可能であり、各電源の電力供給能力に応じて電力が供給される電源を選択する電子機器について説明する。ここで、電力供給能力とは、電源が供給する電力（電圧）の大きさや安定性などを示す。本実施形態に係る電子機器は、ユーザがより正確な電源状況を把握できるように、バッテリの電力供給能力と電源アダプタの電力供給能力とに応じてバッテリ残能力の表示形態を変えて表示する。ここで、バッテリの残能力とは、バッテリが電子機器に対して、接続されている時点で供給可能である電力に関する情報を示す。
【００１２】
［電子機器システムの構成］
図１は本実施形態に係る電子機器システムの構成を示す図である。本実施形態に係る電子機器システムは、電子機器１００と記録媒体１１３とバッテリ１１４と電源アダプタ１１５で構成される。なお、本実施形態では電子機器１００の一例として撮像装置である場合を説明する。なお、以下では、電子機器１００の各機能部と記録媒体１１３とバッテリ１１４と電源アダプタ１１５の概要を説明し、バッテリ１１４の電力供給の残能力を表示するために電子機器１００が行う処理については後述にて説明する。
【００１３】
電子機器１００は、ＣＰＵ１０１、メモリ１０２、不揮発性メモリ１０３、画像処理部１０４、撮像部１０５、レンズ部１０６、表示部１０７、接続部１０８、操作部１０９、通信部１１０、電源選択部１１１、ＤＣ／ＤＣ部１１２を有する。バッテリ１１４は、ＣＰＵ１１６とバッテリセル１１７を有する。接続部１０８は、記録媒体１１３と接続されている。また、通信部１１０は、ＣＰＵ１１６と接続されている。さらに、電源選択部１１１は、バッテリセル１１７と電源アダプタ１１５とに接続されている。なお、電子機器
１００が有する各機能部は、内部バス１５０を介して互いにデータの入出力を行う。
【００１４】
なお、本実施形態では電子機器１００は撮像装置であるとして想定しているため、図１の示す構成であるが、スマートフォンやノートパソコンなどの他の電子機器でも実現可能である。そのため、電子機器１００における、画像処理部１０４、撮像部１０５、レンズ部１０６、表示部１０７、接続部１０８、操作部１０９、ＤＣ／ＤＣ部１１２は必須ではない。
【００１５】
ＣＰＵ１０１は、電子機器１００が有する複数の機能部を制御する中央処理装置（Ｃｅｎｔｒａｌ  Ｐｒｏｃｅｓｓｉｎｇ  Ｕｎｉｔ）である。ＣＰＵ１０１は、例えば、後述の不揮発性メモリ１０３に格納されるプログラムに従い、電子機器１００の複数の機能部を必要に応じて制御する。
【００１６】
メモリ１０２は、例えばＲＡＭ（Ｒａｎｄｏｍ  Ａｃｃｅｓｓ  Ｍｅｍｏｒｙ）などの半導体素子を利用した揮発性のメモリであり、ＣＰＵ１０１によりワークメモリとして用いられる。
【００１７】
不揮発性メモリ１０３には、画像データや音声データ、その他のデータ、ＣＰＵ１０１が動作するための各種プログラムなどが格納される。不揮発性メモリ１０３は例えばハードディスク（ＨＤ）やソリッドステートドライブ（ＳＳＤ）、ＲＯＭ（Ｒｅａｄ−Ｏｎｌｙ  Ｍｅｍｏｒｙ）などで構成される。
【００１８】
画像処理部１０４は、ＣＰＵ１０１の制御に基づいて、メモリ１０２や不揮発性メモリ１０３や記録媒体１１３に格納された画像データや映像信号、撮像部１０５で撮像された画像データなどに対して各種画像処理を施す。画像処理部１０４が行う画像処理には、Ａ／Ｄ（アナログ−デジタル）変換処理、Ｄ／Ａ（デジタル−アナログ）変換処理、画像データの符号化処理、圧縮処理、デコード処理、拡大／縮小処理（リサイズ）、ノイズ低減処理、色変換処理などが含まれる。画像処理部１０４は特定の画像処理を施すための専用の回路ブロックで構成しても良い。また、画像処理の種別によっては画像処理部１０４を用いずにＣＰＵ１０１がプログラムに従って画像処理を施すことも可能である。
【００１９】
撮像部１０５は、ＣＣＤ（Ｃｈａｒｇｅ  Ｃｏｕｐｌｅｄ  Ｄｅｖｉｃｅ）センサやＣＭＯＳ（Ｃｏｍｐｌｅｍｅｎｔａｒｙ  ＭＯＳ）センサなどの撮像素子である。撮像部１０５は、ＣＰＵ１０１の制御に基づいて、静止画、動画を撮像可能である。撮像された画像の画像データは画像処理部１０４に送信され、各種処理を施された後、それぞれ静止画ファイル、動画ファイルとして不揮発性メモリ１０３や記録媒体１１３に記録される。
【００２０】
レンズ部１０６はズームレンズ、フォーカスレンズ、シャッター、絞り、測距部、Ａ／Ｄ変換器などにより構成されるレンズユニットである。レンズ部１０６は、ＣＰＵ１０１の制御に基づいて、上述のズーム、フォーカス、絞りなどを調整することができる。
【００２１】
表示部１０７は、ＣＰＵ１０１の制御に基づいて、画像やＧＵＩ（Ｇｒａｐｈｉｃａｌ
Ｕｓｅｒ  Ｉｎｔｅｒｆａｃｅ）を構成するＧＵＩ画面などを表示する。表示部１０７には、ＣＰＵ１０１により制御された電子機器１００の各機能部が生成した映像信号などが入力される。表示部１０７は入力された映像信号などに基づいて映像（画像）を表示する。なお、本実施形態では、電子機器１００が表示部１０７を備えるが、表示部１０７は電子機器１００の外部のモニタやプロジェクタなどであってもよい。
【００２２】
接続部１０８は、記録媒体１１３と接続される。接続部１０８は、ＣＰＵ１０１の制御に基づき、接続された記録媒体１１３からのデータの読み出しや、記録媒体１１３に対す
るデータの書き込みを行うインターフェースである。
【００２３】
操作部１０９は、キーボードなどの文字情報入力デバイスや、マウスやタッチパネルといったポインティングデバイス、ボタン、ダイヤル、ジョイスティック、タッチセンサ、タッチパッドなどを含む、ユーザ操作を受け付けるための入力デバイスである。なお、タッチパネルは、表示部１０７に重ね合わせて平面的に構成され、接触された位置に応じた座標情報が出力されるようにした入力デバイスである。入力されたユーザ操作は、ＣＰＵ１０１に通知される。
【００２４】
通信部１１０は、バッテリ１１４と接続される。通信部１１０は、バッテリ１１４の種別、バッテリセル１１７の充電状態や残容量等に関する情報を、ＣＰＵ１０１とバッテリ内のＣＰＵ１１６との間で通信するための入出力を行うインターフェースである。つまり、通信部１１０は、本実施形態における取得手段であるともいえる。
【００２５】
電源選択部１１１は、バッテリ１１４と電源アダプタ１１５が接続可能な電源入力端子を有し、コンパレーターやロードスイッチなどで構成された電源選択回路である。電源選択部１１１は、ＣＰＵ１０１の制御に基づいて、バッテリ１１４と電源アダプタ１１５とのうち電力供給能力の高い方を優先して電子機器１００の電力（電源）の供給元とする。なお、電源アダプタ１１５の電力供給能力が所定の基準を満たしていれば、バッテリ１１４の電力供給能力によらずに、電源アダプタ１１５を電子機器１００の供給元の電源としてもよい。なお、本実施形態では、電力供給能力は入力電圧の大きさであるとするが、これに限らず、例えば、入力電圧の安定具合などでもよい。また、電源選択部１１１は接続されたバッテリ１１４および電源アダプタ１１５それぞれの入力電圧をＡ／Ｄ変換し、その値をＣＰＵ１０１が取得することもできる。図２は、電源選択部１１１の詳細な構成を示す図である。電源選択部１１１は、第１電源入力部２０１、第１判別部２０２、第２電源入力部２０３、第２判別部２０４、制御部２０５を有する。
【００２６】
第１電源入力部２０１には、電源アダプタ１１５から電力が供給される。第１判別部２０２は、ＣＰＵ１０１により制御され、第１電源入力部２０１を介して電源アダプタ１１５から供給される入力電圧の大きさを判別する。つまり、第１判別部２０２は、第１電源入力部２０１から入力される電力供給能力を判別する。判別された入力電圧の大きさは制御部２０５に出力される。
【００２７】
第２電源入力部２０３には、バッテリ１１４から電力が供給される。第２判別部２０４は、ＣＰＵ１０１により制御され、第２電源入力部２０３を介してバッテリ１１４から供給される入力電圧の大きさを判別する。つまり、第２判別部２０４は、第２電源入力部２０３から入力される電力供給能力を判別する。判別された入力電圧の大きさは制御部２０５に出力される。
【００２８】
制御部２０５は、ＣＰＵ１０１により制御され、第１判別部２０２から入力された入力電圧の大きさと、第２判別部２０４から入力された入力電圧の大きさとを比較して、大きい方の入力電圧を有する電源を電力の供給元として決定する。つまり、バッテリ１１４と電源アダプタ１１５とのうち大きい入力電圧を有する方の電源から電力が電子機器１００に供給される。これは、制御部２０５が、第１電源入力部２０１と第２電源入力部２０３とのうち大きな入力電圧が供給される方を電力の供給元としている、ということもできる。
【００２９】
ＤＣ／ＤＣ部１１２は、ＣＰＵ１０１の制御に基づき、供給される電力の入力電圧を電子機器１００が動作するために必要な電圧に変換する。
【００３０】
記録媒体１１３は、メモリーカードやＣＤ、ＤＶＤといった記録媒体（記憶媒体）である。例えば、記録媒体１１３は、不揮発性メモリ１０３が有するプログラムを更新するためのデータなどを記録（記憶）する。例えば、記録媒体１１３は、電子機器１００が撮影した画像データを記録する。なお、電子機器１００が不揮発性メモリ１０３を有するため、電子機器システムにおいて記録媒体１１３は必須ではない。
【００３１】
バッテリ１１４は、電子機器１００に電力供給をすることのできる充電可能なバッテリ電源（蓄電池）であり、電子機器１００と接続（装着）および取り外しが可能である。バッテリ１１４は、ＣＰＵ１１６とバッテリセル１１７を有し、電子機器１００に供給できる電力の量はバッテリセル１１７が有する電力の量により制限されている。バッテリ１１４では、バッテリセル１１７によって電子機器１００に電力を供給し、ＣＰＵ１１６によってバッテリセル１１７の充電状況や残容量が管理されている。本実施形態では、バッテリ１１４は電子機器１００の内側に接続することが想定される電源であるため、電子機器１００の内部電源であるといえる。
【００３２】
電源アダプタ１１５は、電子機器１００に電力供給をすることのできる電源であり、電子機器１００と接続（装着）および取り外しが可能である。電源アダプタ１１５は、例えば、商用電源などから供給される電力を電子機器１００に合わせた形式の電力に変換して供給する。本実施形態では、電源アダプタ１１５は電子機器１００の内側に接続されることが想定されない電源であるため、電子機器１００の外部電源であるといえる。
【００３３】
［バッテリの残能力表示の例］
図３（Ａ），（Ｂ），（Ｃ）は、本実施形態に係る表示部１０７に、バッテリ１１４が電子機器１００に対して供給可能である電力に関する情報であるバッテリ残能力を表示する処理を説明するための図である。以下では、図３（Ａ）に示すように表示部１０７にてバッテリアイコン３０１と駆動可能時間３０２の表示が行われる例を説明する。ここで、本実施形態では、バッテリアイコン３０１はユーザが視覚的にバッテリ１１４の残容量を把握するためのアイコンであり、かつ、認証された電源か否かを示すアイコンである。駆動可能時間３０２は、バッテリ１１４が供給する電力によって電子機器１００が駆動する時間（残時間）を示す。
【００３４】
図３（Ｂ）が示すように、ＣＰＵ１０１は通信部１１０を介し、バッテリ１１４と通信を行い、バッテリアイコン３０１、および電子機器１００の駆動可能時間３０２の表示に必要な情報を取得する。取得する情報は、「容量」、「電池電圧」、「消費電流」、「放電可能残量（放電残量）」などであり、バッテリ１１４の電力供給の残能力に関する情報である。これらの情報に基づいてＣＰＵ１０１が電力供給の残能力の表示を行う。なお、「容量」はバッテリ１１４がどの程度充電されているのかを示す充電度合い（残容量）であり、最大に充電されている場合を１００％とする割合の情報である。「電池電圧」はバッテリ１１４が供給する電力の入力電圧の情報である。「消費電流」はバッテリ１１４が供給する電力の電流の情報である。「放電可能残量（放電残量）」はバッテリ１１４が供給する（できる）電力の総量の情報である。なお、「電池電圧」は、ＣＰＵ１０１が第２判別部２０４を介してバッテリ１１４の入力電圧を測定することが可能であるため取得されなくともよい。
【００３５】
ＣＰＵ１０１は通信部１１０を介してバッテリ１１４から取得した「消費電流」、「放電可能残量」を使用し、下記の式１によって、電子機器１００の駆動可能時間３０２を算出する。
【数１】
2019170074.tif 000003
【００３６】
また、ＣＰＵ１０１は、バッテリ１１４から取得した「容量」を使用し、図３（Ｃ）が示す分類に基づき、バッテリ１１４の表示すべきバッテリアイコン３０１を決定する。バッテリアイコン３０１は、例えば、「容量」の情報が取得できていれば、電池のアイコンであり斜線の模様で表される領域が多いほど残りの容量があることを示す。つまり、バッテリアイコン３０１は、「容量」の大きさに応じて模様が異なる。また、例えば、バッテリ１１４と通信できない場合には図３（Ｃ）に示すとおり、不明なバッテリとしてバッテリアイコン３０１を「？」アイコンとする。なお、「？」アイコンに限らず、不明なバッテリであることをユーザが把握できればよいため、「！」アイコンであってもよいし、「不明」という文字が表示されてもよい。
【００３７】
ＣＰＵ１０１はバッテリアイコン３０１の情報と、電子機器１００の駆動可能時間３０２の情報を表示部１０７へ通知する。そして、ＣＰＵ１０１は、表示部１０７を制御して、図３（Ａ）が示すような、バッテリアイコン３０１と駆動可能時間３０２の残能力の表示を行う。このようなことから、ＣＰＵ１０１は、本実施形態では電子機器１００における表示制御手段であるともいえる。
【００３８】
［バッテリの残能力表示の処理フローチャート］
上述のバッテリ残能力表示の例では、バッテリアイコンと駆動可能時間とがともに表示される例を説明したが、本実施形態では、バッテリ１１４の入力電圧や電源アダプタ１１５の入力電圧によって表示形態が制御される。この残能力表示の表示形態の制御方法を以下にて、図４のフローチャートを用いて説明する。
【００３９】
図４は、電源アダプタ１１５とバッテリ１１４との電源状況に応じて、ＣＰＵ１０１が行うバッテリ残能力表示の処理を示したフローチャートである。この処理は、ＣＰＵ１０１が不揮発性メモリ１０３からプログラムを読み出して実行することによって実現される。
【００４０】
Ｓ４０１では、ＣＰＵ１０１は、第１電源入力部２０１に入力される電源アダプタ１１５の入力電圧を、第１判別部２０２を介して測定する。処理が完了すれば、工程はＳ４０２へ進む。
【００４１】
Ｓ４０２では、ＣＰＵ１０１は電源アダプタ１１５の入力電圧が予め決められた閾値Ｔｈ１以上か否かを判定する。ＣＰＵ１０１は、電源アダプタ１１５の入力電圧が予め決められた閾値Ｔｈ１以上であれば、電源アダプタ１１５が接続されていると判定し、工程をＳ４０３へ進める。ＣＰＵ１０１は、電源アダプタ１１５の入力電圧が閾値Ｔｈ１より小さい場合には、電源アダプタ１１５が接続されていないと判定し、工程をＳ４１２へ進める。閾値Ｔｈ１は電子機器１００を駆動するために必要な入力電圧よりも低い値に設定する必要があり、例えば、電子機器１００を駆動するために必要な入力電圧が１２Ｖであったとすれば、１２Ｖよりも小さい８Ｖ程度の値を閾値Ｔｈ１として設定しておく。なお、ここで駆動するとは、電子機器１００の主要な機能が十分に使える状態であることを示し、例えば、本実施形態では、電子機器１００を用いて撮像することができる状態をいう。つまり、上述の例では、入力電圧が１２Ｖより小さい場合でも、電子機器１００による表示処理等は実現できる。
【００４２】
Ｓ４０３では、ＣＰＵ１０１は電圧アダプタの電力供給能力が所定の基準を満たすか否かを判定する。具体的には、ＣＰＵ１０１は、電源アダプタ１１５の入力電圧が予め決められた閾値Ｔｈ２以上（基準値以上）であるか否かを判定する。この閾値Ｔｈ２は、閾値Ｔｈ１よりも大きい値であり、複数の電源が接続されている場合に、電源アダプタ１１５が必ず供給元電源（優先電源）として選択される値である。ＣＰＵ１０１は電源アダプタの入力電圧が予め決められた閾値Ｔｈ２以上と判定した場合には、工程をＳ４０８へ進め、閾値Ｔｈ２より小さいと判定した場合には、工程をＳ４０４へ進める。なお、所定の基準を満たすか否かは、電源アダプタ１１５の入力電圧による判定に限らない。例えば、電源アダプタ１１５と電子機器１００とが通信可能である場合は、電源アダプタ１１５の種類を通信で取得して、当該種類が予め定めた種類の電源アダプタであるか否かで判定されてもよい。
【００４３】
Ｓ４０４では、ＣＰＵ１０１は、第２電源入力部２０３に入力されるバッテリ１１４の入力電圧を、第２判別部２０４を介して測定する。ＣＰＵ１０１は、測定した入力電圧が予め決められた閾値Ｔｈ３以上か否かを判定する。ＣＰＵ１０１はバッテリ１１４の入力電圧が予め決められた閾値Ｔｈ３以上であれば、バッテリ１１４が接続されていると判定する。閾値Ｔｈ１と同様に、閾値Ｔｈ３は電子機器１００を駆動するために必要な入力電圧よりも低い値に設定する必要がある。例えば、電子機器１００を駆動するために必要な入力電圧が１２Ｖであったとすれば、１２Ｖよりも小さい８Ｖ程度の値を閾値Ｔｈ３として設定しておく。なお、閾値Ｔｈ３は閾値Ｔｈ１と同じ値であってもよいし、異なる値であってもよい。バッテリ１１４が接続されているとＣＰＵ１０１が判定した場合には、工程はＳ４０５へ進む。バッテリ１１４の入力電圧が閾値Ｔｈ３より小さいため、バッテリ１１４が接続されていないとＣＰＵ１０１が判定した場合には、工程はＳ４１１へ進む。
【００４４】
Ｓ４０５では、ＣＰＵ１０１は、通信部１１０を介し、バッテリ１１４内のＣＰＵ１１６と通信を行い、認証処理を実行する。認証処理が完了すれば、工程はＳ４０６へ進む。ここで、認証処理とは、電子機器１００に対応したバッテリ１１４であるか否かを判定する処理である。例えば、バッテリ１１４から「容量」の情報が取得できれば認証は成功であり、「容量」の情報が取得できなければ認証は成功でないとすることができる。
【００４５】
Ｓ４０６では、ＣＰＵ１０１はＳ４０５で実行した認証処理が成功したか否かを判定する。ＣＰＵ１０１が認証処理は成功したと判定する場合には、工程はＳ４０７へ進み、認証処理は成功していないと判定する場合には、工程はＳ４１０へ進む。例えば、通信端子を有していないバッテリ１１４が接続されている場合には、Ｓ４０５における認証処理は成功しないため、工程はＳ４１０へ進む。
【００４６】
Ｓ４０７では、ＣＰＵ１０１は、通信部１１０を介し、バッテリ１１４内のＣＰＵ１１６と通信を行い、バッテリ１１４から、図３（Ｂ）を用いて説明した「容量」（残容量）の情報の取得を行う。処理が完了すれば工程はＳ４０９へ進む。
【００４７】
Ｓ４０８では、ＣＰＵ１０１は、バッテリ１１４の残能力表示の処理として、表示部１０７の表示制御を行い、バッテリアイコンの非表示処理を行う。バッテリアイコンの非表示処理を行った表示例を図５（Ａ）にて示す。Ｓ４０８では、Ｓ４０３の判定により、必ず供給元の電源として電源アダプタ１１５が選択される。そのため、バッテリ１１４は接続されていても電力消費がないため、バッテリアイコンが表示されない。
【００４８】
Ｓ４０９では、ＣＰＵ１０１は、バッテリ残能力表示の処理として、表示部１０７の表示制御を行い、バッテリアイコン、および、残容量の表示を行う。バッテリアイコン、および、残容量の表示処理を行った表示例を図５（Ｃ）に示す。Ｓ４０９では、Ｓ４０３の判定結果により、電源アダプタ１１５の入力電圧が予め決められた閾値Ｔｈ２より小さい
と判定されており、電源アダプタ１１５が必ず供給元電源である保障がない。そのため、例えば、電源アダプタ１１５とバッテリ１１４がほぼ同電位であった場合、制御部２０５が断続的にバッテリ１１４と電源アダプタ１１５を供給元電源として切り替えることにより、バッテリ１１４の消費電流は安定しない。つまり、電源アダプタ１１５を供給元の電源とした場合には、バッテリ１１４の消費電流は０であり、バッテリ１１４を供給元の電源とした場合には、バッテリ１１４の消費電流は０より大きな値である。上記のことから、上述の式１のとおり、消費電流を用いた電子機器１００の駆動可能時間の算出が正確にできない。そのため、図５（Ｃ）に示すように、電子機器１００の駆動可能時間とは異なる表示形態として、消費電流の情報を用いずに表示できる残容量５０１を表示する。すなわち、残容量５０１は、バッテリ１１４の消費電流の情報は用いないで表示可能である。このように、バッテリ１１４の消費電流に応じて変化する駆動可能時間ではなく、消費電流に応じて変化しない残容量を表示する方が、ユーザはバッテリの残能力を把握しやすい。なお、残容量に限らず、例えば、放電可能残量が表示されてもよい。なお、バッテリアイコン、および残容量の表示を行う例について説明したが、別の例として、バッテリアイコンのみを表示し、残容量の表示は行わない表示形態としてもよい。
【００４９】
Ｓ４１０では、ＣＰＵ１０１は、バッテリ１１４の残能力表示の処理として、表示部１０７の表示制御を行い、表示部１０７にて、不明なバッテリが接続されていることが分かるバッテリアイコンの表示を行う。不明なバッテリが接続されていることが分かるバッテリアイコンの表示を行った表示例を図５（Ｄ）に示す。なお、この場合も、Ｓ４０９と同様に、電子機器１００の電力の供給元が電源アダプタ１１５であるかバッテリ１１４であるかは各電源の入力電圧により異なる。なお、このバッテリアイコンによって、バッテリの残能力をユーザが把握することはできないため、この場合はバッテリ残能力の表示はされていないといえる。
【００５０】
Ｓ４１１では、Ｓ４０３で電源アダプタの入力電圧が予め決められた閾値Ｔｈ２より小さいと判定されているため、ＣＰＵ１０１は、汎用的な電源アダプタが接続されていると判定する。ＣＰＵ１０１は、表示部１０７の表示制御を行い、表示部１０７にて、汎用的な電源アダプタが接続されていることが分かるアイコンの表示を行う。汎用的な電源アダプタが接続されていることが分かるアイコンの表示例を図５（Ｄ）に示す。本実施形態の汎用的な電源アダプタが接続されていることが分かるアイコン表示としては、例えば、不明なバッテリが接続されている場合と同様のアイコン表示制御を行う。なお、不明なバッテリが接続されている場合と同様のアイコンを表示する必要はなく、例えば、不明なバッテリが接続されている場合は「？」アイコン、汎用的な電源アダプタが接続されている場合は「！」アイコンとしてもよい。なお、バッテリ１１４が接続されていないと判定されているため、電力の供給元は電源アダプタ１１５である。
【００５１】
Ｓ４１２では、Ｓ４０４と同様に、ＣＰＵ１０１は、第２電源入力部２０３に入力されるバッテリ１１４の入力電圧を、第２判別部２０４を介して測定する。ＣＰＵ１０１は、測定した入力電圧が予め決められた閾値Ｔｈ３以上か否かを判定する。バッテリ１１４の入力電圧が予め決められた閾値Ｔｈ３以上であれば、バッテリ１１４が接続されているとＣＰＵ１０１が判定し、Ｓ４１３へ進む。バッテリ１１４の入力電圧が予め決められた閾値Ｔｈ３より小さければ、バッテリ１１４が接続されていないとＣＰＵ１０１が判定し、工程はＳ４２０へ進む。
【００５２】
Ｓ４１３では、Ｓ４０５と同様に、ＣＰＵ１０１は、通信部１１０を介し、バッテリ１１４内のＣＰＵ１１６と通信を行い、認証処理を実行する。認証処理が完了すれば、工程はＳ４１４へ進む。
【００５３】
Ｓ４１４では、Ｓ４０６と同様に、ＣＰＵ１０１はＳ４１３で実行した認証処理が成功
したか否かを判定する。認証処理が成功したとＣＰＵ１０１が判定した場合には、Ｓ４１５へ進み、認証処理が成功していないとＣＰＵ１０１が判定した場合には、工程はＳ４１９へ進む。
【００５４】
Ｓ４１５では、ＣＰＵ１０１は、通信部１１０を介し、バッテリ１１４内のＣＰＵ１１６と通信を行い、バッテリ１１４の「消費電流」、および「放電可能残量」の取得を行う。処理が完了すれば、工程はＳ４１６へ進む。
【００５５】
Ｓ４１６では、ＣＰＵ１０１は、Ｓ４１５で取得したバッテリ１１４の「消費電流」、および「放電可能残量」を用いて、式１により電子機器１００の駆動可能時間を算出する。処理が完了すれば、工程はＳ４１７へ進む。
【００５６】
Ｓ４１７では、Ｓ４０７と同様に、ＣＰＵ１０１は、通信部１１０を介し、バッテリ１１４内のＣＰＵ１１６と通信を行い、バッテリ１１４から、図３（Ｂ）で説明した「容量」（残容量）の情報の取得を行う。処理が完了すれば、工程はＳ４１８へ進む。
【００５７】
Ｓ４１８では、ＣＰＵ１０１は、表示部１０７の表示制御を行い、残容量に応じたバッテリアイコン、および、Ｓ４１６で算出した電子機器１００の駆動可能時間の表示を行う。バッテリアイコン、および、Ｓ４１６で算出した電子機器１００の駆動可能時間の表示例を図５（Ｂ）に示す。Ｓ４１８では、Ｓ４０９とは異なり、電源アダプタ１１５が接続されていないため、必ず供給元電源はバッテリ１１４である。そのため、バッテリ１１４の消費電流は安定し、式１によって電子機器１００の正確性の高い駆動可能時間を算出することが可能である。このような、具体的であり正確性の高い駆動可能時間が表示されることにより、バッテリ１１４の残容量が表示されるよりも、ユーザは電源状況をより正確に把握できる。
【００５８】
Ｓ４１９では、Ｓ４１０と同様に、ＣＰＵ１０１は、バッテリ１１４の残能力表示の処理として、表示部１０７の表示制御を行い、不明なバッテリが接続されていることが分かる図５（Ｄ）が示すようなバッテリアイコンの表示を行う。なお、電源アダプタ１１５が接続されていないため、必ず供給元電源はバッテリ１１４となる。なお、このバッテリアイコンによって、バッテリの残能力をユーザが把握することはできないため、この場合はバッテリ残能力の表示はされていないといえる。
【００５９】
Ｓ４２０では、Ｓ４０８と同様に、ＣＰＵ１０１は、バッテリ１１４の残能力表示の処理として、表示部１０７の表示制御を行い、表示部１０７にて、バッテリアイコンの非表示処理を行う。なお、本実施形態では、電源アダプタ１１５とバッテリ１１４との両方が電子機器１００と接続されていないと判定されているため、電子機器１００の表示部１０７には映像（画像）を含めて何も表示されないものとする。
【００６０】
このように図５（Ａ）〜図５（Ｄ）の４つの表示形態で表示されることで、ユーザは電子機器１００の電源状況をより正確に把握できる。図５（Ａ）が示すようにバッテリ１１４の残能力表示がされない場合は、一定以上の入力電圧を有する電源アダプタ１１５が接続されている。そのため、ユーザは、電力の供給元が一定以上の入力電圧を有する電源アダプタ１１５であり、持続的に電子機器１００が駆動可能であることが分かる。図５（Ｂ）が示すように、バッテリアイコンと駆動可能時間とが表示される場合は、ユーザは電力の供給元がバッテリ１１４であることが分かり、表示される駆動可能時間で電子機器１００が駆動できることが分かる。図５（Ｃ）が示すように、バッテリアイコンと残容量とが表示される場合は、ユーザは、電力の供給元が切り替わる可能性があることが分かり、バッテリ１１４の充電状況を表示される残容量から把握できる。図５（Ｄ）が示すように、認証されていないバッテリまたは汎用の電源アダプタが接続されていることを示すアイコ
ンが表示される場合は、ユーザは、バッテリ１１４および電源アダプタ１１５が正規の製品ではないまたは劣化していることが推測できる。そのため、ユーザは、電子機器１００の電源状況は不安定であることが分かる。
【００６１】
なお、図５（Ｂ）および図５（Ｃ）においては、駆動可能時間または残容量が表示されるため、バッテリアイコンの表示は必須ではない。また、本実施形態では、図５（Ａ）〜図５（Ｄ）の表示形態は、バッテリ１１４の「容量」（残容量）の大きさによっては切り替わらない。
【００６２】
以上、説明したように、バッテリと電源アダプタが接続可能であり電力供給能力に応じて電力が供給される電源を選択する電子機器において、ユーザが電子機器の電源状況をより正確に把握することができる。例えば、バッテリと電源アダプタとが電力の供給元として頻繁に入れ替わる可能性がある場合において、バッテリの残能力は、駆動可能時間ではなく残容量が表示される。そのため、この場合に、ユーザは、誤って表示される駆動可能時間において電子機器が駆動できると認識してしまうことなく、残容量によって正確性の高い電子機器の電源状況を把握することができる。
【００６３】
（変形例１）
実施形態１では、電子機器１００に電源アダプタ１１５と認証されているバッテリ１１４とが接続され、電源アダプタ１１５の入力電圧が閾値Ｔｈ２未満である場合は、残容量を表示する例の説明を行った（Ｓ４０９）。しかし、これに限るものではなく、本変形例では、別のバッテリ残能力表示を図６（Ａ）、図６（Ｂ）を用いて説明する。
【００６４】
図６（Ｂ）は、上述の場合における実施形態１とは異なるバッテリ残能力表示の例である。これは、電源アダプタ１１５と、バッテリ１１４の入力電圧がほぼ同電位であり、図６（Ａ）に示すようにバッテリ１１４の消費電流が変化する場合に表示されるとよい。このとき、供給元電源がバッテリ１１４である場合は、α、β、γの区間で示すように消費電流が流れ、供給元電源が電源アダプタ１１５である場合は、α、β、γ以外の区間で示すように消費電流は流れない。つまり、α、β、γ以外の区間ではバッテリ１１４は電力を消費しない。
【００６５】
そのため、ＣＰＵ１０１は、表示部１０７にて、α、β、γの区間における電子機器１００の駆動可能時間を算出し、算出時間（算出した駆動可能時間）よりも電子機器１００の実際の駆動可能時間が長いことと算出時間を示す（残時間超を示す）表示を行う。具体的には、ＣＰＵ１０１は、算出した結果を用いて、図６（Ｂ）の領域６０１が示すように、「”算出時間”↑」の表示を行う。なお、算出時間と算出時間よりも電子機器１００の実際の駆動可能時間が長いことを示せればよいため、「”算出時間”↑」に限らず、「”算出時間”＋α」や「”算出時間”以上」というように表示されてもよい。
【００６６】
以上、変形例１によれば、算出された電子機器１００の駆動可能時間と、その時間よりも実際の駆動可能時間が長いことを示す「↑」とが表示される。そのため、ユーザは、電力の供給元が電源アダプタ１１５とバッテリ１１４とで入れ替わる可能性があり、表示されている時間よりも長く電子機器１００が駆動できることを把握することができる。
【００６７】
（変形例２）
実施形態１では、電子機器に対してバッテリの接続および取り外しが想定される場合について説明した。変形例２では、電子機器の中にバッテリが内蔵され、取り外しが容易でなく、常に認証されたバッテリが接続されていると想定される例について説明する。なお、本変形例に係る電子機器システム、および電子機器１００の構成は実施形態１と同様であり、図１が示すとおりである。
【００６８】
本変形例に係る電子機器１００のバッテリ残能力表示の処理フローチャートは、図７の示すとおりである。なお、図７のＳ４０７〜Ｓ４０９，Ｓ４１５〜Ｓ４１８は実施形態１において図４を用いて説明した処理と同じ処理であるため説明は省略する。以下では、Ｓ７０１〜Ｓ７０３の処理について説明する。なお、下記で説明する閾値Ｔｈ１と閾値Ｔｈ２は実施形態１の同じ符号のものと同じ値である。
【００６９】
Ｓ７０１では、ＣＰＵ１０１は、第１電源入力部２０１に入力される電源アダプタ１１５の入力電圧を、第１判別部２０２を介して測定する。処理が完了すれば、工程はＳ７０２へ進む。
【００７０】
Ｓ７０２では、ＣＰＵ１０１は電源アダプタ１１５の入力電圧が予め決められた閾値Ｔｈ１以上か否かを判定する。ＣＰＵ１０１は電源アダプタ１１５の入力電圧が予め決められた閾値Ｔｈ１以上であれば、電源アダプタ１１５が接続されていると判定し、工程をＳ７０３へ進める。ＣＰＵ１０１は電源アダプタ１１５の入力電圧が閾値Ｔｈ１より小さいと判定した場合には、電源アダプタ１１５が接続されていないと判定し、工程をＳ４１５へ進める。
【００７１】
Ｓ７０３では、ＣＰＵ１０１は電源アダプタ１１５の入力電圧が予め決められた閾値Ｔｈ２以上であるか否かを判定する。ＣＰＵ１０１は、電源アダプタ１１５の入力電圧が予め決められた閾値Ｔｈ２以上であると判定した場合には、工程をＳ４０８へ進め、閾値Ｔｈ２より小さいと判定した場合には、工程をＳ４０７へ進める。
【００７２】
以上によれば、電源アダプタ１１５が電子機器１００に接続されているか否かと、電源アダプタ１１５およびバッテリ１１４の電力供給能力とに応じて、下記３つ場合において表示形態に変えることができる。
（１）電源アダプタ１１５とバッテリ１１４の双方とが電子機器１００に接続されており、電源アダプタ１１５の入力電圧が閾値Ｔｈ２より小さい場合、図５（Ｃ）が示すように、バッテリアイコンと残容量とが表示される。
（２）バッテリ１１４のみが電子機器１００に接続されており、電源アダプタ１１５は接続されていない場合、図５（Ｂ）が示すようにバッテリアイコンと駆動可能時間とが表示される。
（３）電源アダプタ１１５とバッテリ１１４の双方とが電子機器１００に接続されており、電源アダプタ１１５の入力電圧が閾値Ｔｈ２以上である場合、図５（Ａ）が示すように、バッテリ１１４の残能力表示がされない。
【００７３】
なお、上記の（２）の場合において、残容量も表示されてもよい。なお、変形例１のように、残容量ではなく、算出した駆動可能時間と算出した当該時間より実際の駆動可能時間が長いことを示す表示（残時間超を示す表示）がされてもよい。つまり、残能力表示がされる場合には、少なくとも、残時間、残時間超、残容量のいずれかを示す表示がされる。また、ＣＰＵ１０１は、（１）の場合と（２）の場合とでは同じ残能力表示にならないように制御にして、２つの場合の差を明確にするとよい。つまり、（２）の場合は、（１）の場合の表示形態で表示されないようにして、逆に、（１）の場合は、（２）の場合の表示形態で表示されないようにする。
【００７４】
以上より、認証されたバッテリ１１４が接続されていると仮定することのできる変形例２では、実施形態１よりも簡易な処理で表示形態を変更することができ、かつ、実施形態１と同じ効果を得ることができる。
【００７５】
なお、ＣＰＵ１０１が行うものとして説明した上述の各種制御は１つのハードウェアが
行ってもよいし、複数のハードウェア（例えば、複数のプロセッサーや回路）が処理を分担することで、装置（電子機器）全体の制御を行ってもよい。
【００７６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７７】
また、上述した実施形態においては、本発明を撮像装置に適用した場合を例にして説明したが、これはこの例に限定されず２以上の電源が接続可能な電子機器であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、家電、スマートスピーカーなどに適用可能である。また、これらを制御するような制御装置に対しても適用可能である。
【００７８】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶（格納）した記憶媒体は本発明を構成することになる。
【符号の説明】
【００７９】
１００・・・・電子機器
１０１・・・・ＣＰＵ
１１１・・・・電源選択部
２０１・・・・第１電源入力部
２０２・・・・第１判別部
２０３・・・・第２電源入力部
２０４・・・・第２判別部
２０５・・・・制御部
【図１】
2019170074.tif 000004
【図２】
2019170074.tif 000005
【図３】
2019170074.tif 000006
【図４】
2019170074.tif 000007
【図５】
2019170074.tif 000008
【図６】
2019170074.tif 000009
【図７】
2019170074.tif 000010